(57)【要約】【課題】  従来の技術としては、２枚の幅木に取り付けるもので、各種部材が必要で、コストも高くつくもの。見切り部材のセットであり、予めコーナー部を加工してあるもので、かつ、床材等のフロア部材を床下地上に敷き込む時に使用するもので、現場合せで、素人の方でも施工できるものではない。【解決手段】入隅及び／または出隅に施工される２本の見切材のコーナー部に取り付けるべく、Ｌ字形に形成したカバー板の一部外周に、係止片を突設してなることを特徴とする。【選択図】図１
2017206928.tif 000002
【特許請求の範囲】
【請求項１】
入隅及び／または出隅に施工される２本の見切材のコーナー部に取り付けるべく、Ｌ字形に形成したカバー板の一部外周に、係止片を突設してなることを特徴とする見切材コーナー化粧カバー。
【請求項２】
前記カバー板に固着部を形成してなることを特徴とする請求項１記載の見切材コーナー化粧カバー。
【請求項３】
前記見切材が、断面略Ｊ形形状であることを特徴とする請求項１又は２記載の見切材コーナー化粧カバー。
【発明の詳細な説明】
【技術分野】
【０００１】  本発明は、主に天井の入隅及び／または出隅に施工される見切材のコーナー部を化粧保護する見切材コーナー化粧カバーに関するものである。
【背景技術】
【０００２】  従来の技術として、入隅又は出隅に取り付けられている２枚の板状の壁面造作材の間隙を被覆するコーナー被覆具において、前記入隅又は出隅の壁に固定される壁固定部材と、該壁固定部材に取り付けられ、前記間隙を被覆する間隙被覆部材とを備えることを特徴とするコーナー被覆具がある。（特許文献１参照）【０００３】  また、別の従来技術として、床下地上に敷設されるフロア部材の直交した隣接する辺に沿い、該辺をそれぞれ上から覆う直線用上板及び直線用上板の下面から垂設された直線用垂下係止部とで構成された長尺の直線用カバー材と、フロア部材の該辺に沿ってその下に敷設される直線用下板及び直線用下板の上面から立設され、前記直線用垂下係止部が挿入係合される係合溝が凹設された直線用起立係止片とで構成され、その端部が直線用カバー材の端面よりコーナー側に突出するように配設された直線用下受材と、前記直線用カバー材の端部に隣接或いは前記端部に上から重畳すると共にフロア部材のコーナー部分を覆うコーナー用上板及びコーナー用上板の下面から垂設され、直線用下受材の端部の直線用起立係止片の係合溝に挿入係合されるコーナー用垂下係止部とで構成されたＬ形のコーナー用カバー材とで構成されていることを特徴とする見切り部材セットがある。（特許文献２参照）
【先行技術文献】
【特許文献】
【０００４】
【特許文献１】  特開２００８−２４０４６８号公報
【特許文献２】  特開２０１３−２２４５号公報
【発明の概要】
【発明が解決しようとする課題】
【０００５】  上記前者のものは、２枚の幅木に取り付けるもので、各種部材が必要で、コストも高くつき、本発明とは構造が異なるものである。【０００６】  上記後者のものは、見切り部材のセットであり、予めコーナー部を加工してあるもので、かつ、床材等のフロア部材を床下地上に敷き込む時に使用するもので、本発明のように現場合せで、素人の方でも施工できるものではない。【０００７】  本発明は、このような従来の構成が有していた問題を解決しようとするもので、入隅及び／または出隅に施工される見切材のコーナー部の加工精度に少々問題（切り口が斜状等）があっても、素人でも簡単に取り付けでき、かつ、見栄えよくカバーできる見切材コーナー化粧カバーを提供することを目的とする。
【課題を解決するための手段】
【０００８】  本発明は、上記目的を達成するために、入隅及び／または出隅に施工される２本の見切材のコーナー部に取り付けるべく、Ｌ字形に形成したカバー板の一部外周に、係止片を突設してなること。前記カバー板に固着部を形成してなること。前記見切材が、断面略Ｊ形形状であることを特徴とするものである。
【発明の効果】
【０００９】１）、見切材のコーナー部の加工が少々ズレても見栄えよく取り付けることができる。
２）、カバー板の一部外周に係止片を設けることにより、見切材の端面に当接して取り付けられるため、素人でも簡単に見栄えよく取り付けることができる。
３）、貼着部により、短時間で確実に固定できる。
４）、主に、断面略Ｊ形形状の見切材に有効である。
【図面の簡単な説明】
【００１０】
【図１】  本発明の見切材コーナー化粧カバーの第１実施例を示す平面図。
【図２】  本発明の見切材コーナー化粧カバーの第１実施例を示す正面図。
【図３】  本発明の見切材コーナー化粧カバーに使用する見切材の斜視図。
【図４】  本発明の見切材コーナー化粧カバーの入隅使用状態の底面図。
【図５】  本発明の見切材コーナー化粧カバーの入隅使用状態の正面図。
【図６】  本発明の見切材コーナー化粧カバーの第２実施例を示す平面図。
【図７】  本発明の見切材コーナー化粧カバーの第２実施例を示す正面図。
【図８】  本発明の見切材コーナー化粧カバーの出隅使用状態の底面図。
【発明を実施するための形態】
【００１１】  まず、見切材コーナー化粧カバーにおける入隅用見切材コーナー化粧カバーについて説明する。
入隅用見切材コーナー化粧カバー１は、Ｌ字形に形成したカバー板２の後端面外周に係止片３を突設すると共に、上面に貼着テープ等による固着部４を設けてある。（図１・図２）
【００１２】  Ｍは、押し出し成形等による見切材で、受面Ｍ１と取付面Ｍ２との間に、天井ボード（図示せず）を差し込み取り付けるものである。（図３）
【００１３】  つぎに、入隅用見切材コーナー化粧カバー１を使用しての天井ボード取付施工例を説明する。
壁Ｋ（入隅Ｉ）の所要位置に、予め所要の長さにカットした見切材Ｍに天井ボードＴＢを差し込み取り付ける、
その後、天井ボードＴＢの裏側（上側）にある桟木ＳにビスＢで固定する。この時、コーナー部Ｋにおいて、見切材Ｍ・Ｍの端部Ｔが不揃いになることが現場では多くある。
この例の場合、端部Ｔが段差状になっている。
よって、床（図示せず）より天井を見た場合、コーナー部ＫＡの見栄えが悪い。
そこで、入隅用見切材コーナー化粧カバー１をコーナー部ＫＡに対して取り付けるべく、見切材Ｍ・Ｍの端部Ｔの受面Ｍ１の端面Ｔ１に係止片３の内側を当接しつつ固着部４を受面Ｍ１に貼り付ける。
このように貼り付けることにより、コーナー部ＫＡの見栄えを良くすることができる。
【００１４】  つぎに、見切材コーナー化粧カバーにおける出隅用見切材コーナー化粧カバー２１について説明する。
出隅用見切材コーナー化粧カバー２１は、Ｌ字形に形成したカバー板２２の先端面外周に係止片２３を突設すると共に、上面に貼着テープ等による固着部２４を設けてある。（図６・図７）
【００１５】  つづいて、出隅用見切材コーナー化粧カバー２１の使用例について説明する。
壁Ｋ１（出隅Ｄ）の所要位置に、予め所要の長さにカットした見切材ＭＡに天井ボードＴＢ１を差し込み取り付ける。
その後、前記と同様にビス（図示せず）にて固定する。
この時、素人が加工したため見切材ＭＡ・ＭＡの端部ＴＡが開いてしまった状態になってても使用できる。
つまり、受面ＭＡ１の端部Ｔ２に係止片２３の内側で当接しつつ固着部２４を受面ＭＡ１に貼り付ける。
このように貼り付けることにより、コーナー部ＫＢの見栄えを良くすることができる。
【００１６】  上記各実施例において、入隅用見切材コーナー化粧カバー１及び出隅用見切材コーナー化粧カバー２１の材質や大きさ等は、特に限定することなく、見切材の寸法に合せて作成すればよい。
また、見切材の形状も特に限定することなく、使用できるものであればよい。
【産業上の利用の可能性】
【００１７】  今まで、特に断面略Ｊ形形状の見切材において、コーナー部を見栄えよくカバーできるため、素人でも施工できることは現場にとって非常に有効である。
【符号の説明】
【００１８】１―――入隅用見切材コーナー化粧カバー
２―――カバー板
３―――係止片
４―――固着部
Ｍ―――見切材
Ｋ―――壁
ＴＢ――天井ボード
ＫＡ――コーナー部
【図１】
2017206928.tif 000003
【図２】
2017206928.tif 000004
【図３】
2017206928.tif 000005
【図４】
2017206928.tif 000006
【図５】
2017206928.tif 000007
【図６】
2017206928.tif 000008
【図７】
2017206928.tif 000009
【図８】
2017206928.tif 000010